【手続補正書】
【提出日】平成16年9月15日(2004.9.15)
【手続補正１】
【補正対象書類名】明細書
【補正対象項目名】０００９
【補正方法】変更
【補正の内容】
【０００９】
キャップ３は、ブラシ軸５と分離可能に組み立てられており、容器本体９の口部６５に螺合する。キャップ３の下部肉薄部１９の内面２１にはメネジ２３が切られており、このメネジ２３は容器本体口部６５外面のオネジ６３と螺合する。下部肉薄部１９と上部肉厚部１３との間には内段部１７が形成されており、同内段部１７には、ブラシ軸５のフランジ部４３の上面が当接する。
キャップ３の上部肉厚部１３の中心部には、上下に貫通するキャップ孔１１が開けられている。このキャップ孔１１の上部は下すぼまりロート状となっている。同孔１１の中ほどには、係止段部１４が形成されている。係止段部１４から下は図２に示すように、回り止めリブ１５ｂが内側に張り出している。回り止めリブ１５ｂは、同孔１１に円周振り分けで８か所設けられており、各リブ間は半径方向に切り込まれた回り止め溝１５ａとなっている。係止段部１４の上面には後述するブラシ軸５の係止突起３７が当接する。回り止め溝１５ａには、同軸５の回り止めリブ３９が入り込む。
【手続補正２】
【補正対象書類名】明細書
【補正対象項目名】００１０
【補正方法】変更
【補正の内容】
【００１０】
ブラシ軸５は、上述のようにキャップ３と分離可能に組み立てられており、その中段部４５及び下段部４７はキャップ３から真下に垂下している。通常は、キャップ３とブラシ軸５は一体化されており、キャップ３を容器本体９から取り出すとブラシ軸５及びその先のブラシ１０が外に出てくる。ブラシ軸５を容器本体９内に収めたときは、同軸５の中段部４５は、容器本体９の口部６５内に位置し、下段部４７は容器本体９内に位置する。中段部４５は、やや下すぼまりのテーパの付いた円筒状である。下段部４７は、丸い円柱状である。下段部４７の下端４９には、ブラシ１０の芯軸８１が植設されている。芯軸８１の周りには多数のブラシ毛８３が生えている。
【手続補正３】
【補正対象書類名】明細書
【補正対象項目名】００１２
【補正方法】変更
【補正の内容】
【００１２】
ブラシ軸５のフランジ部４３の上には、頂部３３が突設されており、その上端３１は、キャップ孔１１を通ってキャップ３の上面よりも上に突出している。頂部３３の下部（フランジ部４３のすぐ上）外面には、回り止めリブ３９、４１が上下に延びるように突出形成されている。この回り止めリブ３９、４１は、円周振り分けで４カ所に設けられており、キャップ３の回り止め溝１５ａ内に入り込んで係合している。この回り止めリブ３９、４１と回り止め溝１５ａの係合により、ブラシ軸５とキャップ３とが回り止めされ、不用意な両者の回転によって使用者に不便をかけないようになっている。なお、回り止めリブ４１はスリット３５の開口面下に位置するため、回り止めリブ３９より長さが短い。
【手続補正４】
【補正対象書類名】明細書
【補正対象項目名】００１３
【補正方法】変更
【補正の内容】
【００１３】
ブラシ軸５の頂部３３の中段部外面には、丸く外側に盛り上がった係止突起が左右に２カ所突設されている。両係止突起３７、３７´は、キャップ孔１１内の係止段部１４の上側で突出していて、係止突起３７、３７´が回り止めリブ１５ｂに引っ掛かることでブラシ軸５がキャップ３から下に落ちないようにしている。つまり、前述のように、フランジ部４３がキャップ内段部１７と当接しているので、キャップ３の回り止めリブ１５ｂが、ブラシ軸５の係止突起３７、３７´とフランジ部４３との間に挟まれて、キャップ３とブラシ軸５とが組み立てられている。
【手続補正５】
【補正対象書類名】明細書
【補正対象項目名】００１４
【補正方法】変更
【補正の内容】
【００１４】
左右の係止突起３７、３７´の間には、スリット３５が開けられている。スリット３５は、頂部３３の芯部の肉を盗んだ上下にやや延びる小判状の穴である。このスリット３５の存在により、左右の係止突起３７、３７´にある程度以上の内向きの力がかかった場合に、同スリット３５の外側の肉の部分が内側に寄るように撓んで、左右の係止突起３７、３７´が内側に引っ込む。このような作用で、ブラシ軸５とキャップ３を容器本体９から外した状態で、ブラシ軸５の頂部上端３１を下に押した場合には、係止突起３７、３７´が内側に引っ込んで、キャップ孔１１の係止段部１４の内側に入る。さらに頂部上端３１を下に押すと、係止突起３７、３７´は、係止段部１４の下の回り止めリブ１５ｂの内側を下に抜け、ブラシ軸５がキャップ３から下に分離される。スリット３５は、このような分離及び組み立て操作を円滑に行えるようにする作用がある。また、ブラシ軸５のキャップ３への係合方法は、これに限らず、通常の凹凸係合方法によっても可能であり、頂部３３を下方へ押圧する方法であれば、いかなる係合方法でもよい。
【手続補正６】
【補正対象書類名】明細書
【補正対象項目名】００１５
【補正方法】変更
【補正の内容】
【００１５】
しごき部材７は、全体として中空円筒状の部材であり、ゴム等の弾性部材からなる。しごき部材７の上端部は、前述のように、外周に拡がるフランジ部５１となっている。同フランジ部５１は、容器本体９の口部上端６１の上に載っている。同フランジ部５１は、キャップ３の容器本体９への装着時には、ブラシ軸フランジ部４３を介してキャップ３と容器本体９とに押さえ付けられ、適当に圧迫されてパッキンの役割を果す。これによって、容器本体９内の液状化粧料やその揮発ガスが容器本体外に漏れることはない。
【手続補正７】
【補正対象書類名】明細書
【補正対象項目名】００１６
【補正方法】変更
【補正の内容】
【００１６】
しごき部材７の中段部５３は、容器本体口部６５の内面に沿って垂下している。しごき部材７の下端部外周には外襟部５５が、リング状に外側にはみ出すように設けられている。同部５５は、容器本体口部６５の下端面に引っ掛かるようになっている。結局、しごき部材７の上端のフランジ部５１と下端の外襟部５５とで、容器本体口部６５の上下を挟んでおり、しごき部材７が容器本体口部６５に固定されている。なお、しごき部材７はゴム等の弾性部材製なので、組立て時には外襟部５５で変形させて容器本体口部６５の中に押し込むと、外襟部５５は、容器本体９内に入ってから自己の弾力で外に拡がる。
【手続補正８】
【補正対象書類名】明細書
【補正対象項目名】００１９
【補正方法】変更
【補正の内容】
【００１９】
図１、２の実施例の容器の総合的な作用について説明する。まず組立て時には、しごき部材７は前述のように、容器本体口部６５内に押し込むことによって組み込むことができる。ブラシ軸５とキャップ３との組み立てについては、ブラシ軸５を容器本体９の中に差し込んでおき、キャップ３を上からかぶせて、キャップを容器本体口部６５にネジ込んでいくと、ブラシ軸５の頂部３３は、キャップ孔１１内を次第に上昇し、ついには図１のように係止突起３７が係止段部１４の上に乗り上げて、ブラシ軸５がキャップ３と組み立てられる。なおこのとき、上述のように、スリット３５の存在により、係止突起３７、３７´は内側にスムーズに寄る。また、回り止め溝１５ａは円周に８カ所形成されているので、ブラシ軸５の回り止めリブ３９と自然に合致する。
【手続補正９】
【補正対象書類名】明細書
【補正対象項目名】００２０
【補正方法】変更
【補正の内容】
【００２０】
次に、棒状塗布具の交換時には、キャップ３とブラシ軸５を容器本体９から外した状態で、ブラシ軸頂部３３の上端３１を指で押す。すると、スリット３５の作用により、左右の係止突起３７、３７´が内側に寄って、係止突起がキャップの係止段部１４から下に外れる。さらに下方に押すことによって、係止突起３７、３７´がキャップ３の内段部１７の下まで抜けて、キャップ３とブラシ軸５とが分離される。なお、キャップ孔１１がロート状をしているのは、指を入れやすいようにするためである。この際、使用者は一切ブラシ軸５に触ることなく、ブラシ軸５を捨てることができる。新しい棒状塗布具の装着については、上述の組み立て時と同じである。
【手続補正１０】
【補正対象書類名】明細書
【補正対象項目名】００２４
【補正方法】変更
【補正の内容】
【００２４】
内キャップ１０２は頂部９１と、下に開口した中空の円筒状の垂下筒９８で構成される。垂下筒９８の外径は、キャップ１０３のキャップ孔１１１の内径とほぼ等しい。垂下筒９８には、外面の対角上の２か所にＵ字形スリット９７が切り込まれ、頂部９１から下に伸びる抜け止めベンド片９５が形成されている。抜け止めベンド片９５の幅は、上述したキャップ１０３のキャップ孔１１１に設けられた溝１１２の幅とほぼ同じである。抜け止めベンド片９５の外面には、外方向に突出する突出部９６が形成されており、同部９６は、キャップ１０３の溝１１２に嵌合しており、同部９６の上端面は溝１１２の上端面に当接する。内キャップ１０２をキャップ２０３内に入れるときは、抜け止めベンド片９５は内側にベンドする。
【手続補正１１】
【補正対象書類名】明細書
【補正対象項目名】００２６
【補正方法】変更
【補正の内容】
【００２６】
ブラシ軸１０５とキャップ１０３を組み立てたとき、ブラシ軸１０５の頂部上面は、内キャップ１０２の頂部９１下面と接触する。
ブラシ軸１０５とキャップ１０３を容器本体１０９から外した状態で、内キャップ１０２の頂部９１がキャップ１０３のキャップ孔１１１内を下方向に押されると、ブラシ軸１０５は押し下げられ、係止突起１３７は係止段部１１４により内側に圧迫される。このとき、スリット１３５の作用により、係止突起１３７は内側に寄り、係止突起はキャップ１０３の係止段部１１４から下に外れる。これらの作用により、キャップ１０３とブラシ軸１０５は分離し、棒状塗布具の交換が行われる。
【手続補正１２】
【補正対象書類名】明細書
【補正対象項目名】００２９
【補正方法】変更
【補正の内容】
【００２９】
液状化粧料の容器は、容器外筒２０８と内ボトル２０９で構成され、化粧料は内ボトル２０９内に封入される。内ボトル２０９の口部２６６は、容器外筒２０８の口部２６５よりも上まで延びている。これによって、ブラシ軸１０５に付いている液が、容器外筒２０８の口部２６５に付着することを防いでいる。しごき部材２０７は、内ボトル２０９の口部２６６に取り付けられている。容器外筒２０８は下に開口しており、内ボトル２０９は開口部から挿入され、外筒の下端部内面に形成されたオネジ２９１と、内ボトルの下端部外面に形成されたメネジ２９３は螺合し、外筒と内ボトルは固定される。容器外筒２０８の上端部にはオネジが形成されており、キャップ２０３のメネジと螺合する。この際、内ボトル２０９下端面のスリット２９５にコインの端等を差し込んで内ボトルを回すことができる。
【手続補正１３】
【補正対象書類名】明細書
【補正対象項目名】００３０
【補正方法】変更
【補正の内容】
【００３０】
容器外筒２０８と内ボトル２０９を相対回動させることによって、螺合は解除される。この状態で、内キャップ２０２を下方へ押せば、ブラシ軸２０５、内ボトル２０９が一緒に下方へ脱落する。容器外筒２０８と内ボトル２０９の接続方法は、実施例に限られるものではなく、ブラシ付き内ボトルを包括する方法であればどのようなものも可能である。例えば、尾栓式のような、内ボトルがねじを用いなくても固定できるものでもよい。この場合、新品のブラシ軸付き内ボトルをキャップ２０３をしたままの容器外筒２０８に組み込んでねじ込めば、ブラシ軸２０５も容器に押されてキャップ２０３に自然に組み込むことができる。したがって、使用者は手を汚すようなことなく、簡単にボトルやブラシの交換を行うことができる。なお、通常は、損傷し易いブラシとしごき部材込みでボトルを交換する。色替えしたマスカラに交換するときも同様に交換できる。
この実施例では、容器外筒２０８に装飾的外装を施し、内ボトル２０９を使い捨て可能な材料を用いた簡易な構成とすることで、より経済的にカートリッジを交換することができる。また、しごき機能を必要としないマニキュアやアイライナー等も、上記の方法により簡単にユニットカートリッジとして使用できる。
【手続補正１４】
【補正対象書類名】明細書
【補正対象項目名】００３１
【補正方法】変更
【補正の内容】
【００３１】
図６は、図５の容器のカートリッジの構成を示す断面図である。ブラシ軸（棒状塗布具）２０５、しごき部材２０７、内ボトル２０９は図５の容器のものである。このカートリッジには仮キャップ３０１が付いている。仮キャップ３０１は有頂筒状であり、内ボトル２０９の口部２６６や、ブラシ軸２０５の頂部３３１を覆っている。仮キャップ３０１の下端部内面には嵌合凸部３２３が形成されている。一方、内ボトル２０９の口部２６６の下端部外面には嵌合凹部３２１が形成されている。これらの凸部３２３と凹部３２１は嵌合して、仮キャップ３０１がカートリッッジに係止される。なお、このとき仮キャップ３０１の頂部３１１の下面はブラシ軸２０５の頂部３３１を少し押すこととなり、ブラシ軸２０５のフランジ部２４３がしごき部材２０７のパッキン部２５１を押して、内ボトル２０９をシールしている。